(57)【要約】      （修正有）【課題】テーブル等の支柱、脚部であって、シャフトの揺れを抑制して、長さの調節及び保持を行うことができる伸縮棒を提供する。【解決手段】該伸縮棒１は、中空円筒状で上端が開口している外パイプ２と、この外パイプ２の軸方向に摺動自在に挿入されるシャフト３と、外パイプ２の上端開口部と接するか、僅かに内側に配置する。さらに、内部に所定の長さを有して外パイプ２の内面に取り付けられる弾性筒体４と、を備え、シャフト３が弾性筒体４に圧接して保持する。【選択図】図６
0003171366.tif 000002
【実用新案登録請求の範囲】
【請求項１】
中空円筒状で上端が開口している外パイプと、この外パイプの軸方向に摺動自在に挿入されるシャフトと、前記外パイプの上端開口部と接するか、僅かに内側の位置し、内部に所定の長さを有して前記外パイプの内面に取り付けられる弾性筒体と、を備え、前記シャフトが前記弾性筒体に圧接して保持されている、伸縮棒。
【請求項２】
前記弾性筒体の外周径は、前記外パイプの内径より少し大きく、内径は前記シャフトの外径より少し小さく形成されている、請求項１に記載の伸縮棒。
【請求項３】
前記弾性筒体の長さは、前記シャフトの自重、前記シャフトに取り付けられる部材の重さと積載荷重と前記弾性筒体の摩擦力とにより決められる、請求項１又は請求項２に記載の伸縮棒。
【考案の詳細な説明】
【技術分野】
【０００１】
この考案は、支柱、脚部等に利用でき、容易に長さ調整ができる伸縮棒に関するものである。
【背景技術】
【０００２】
従来、伸縮自在なスタンドの支柱として、外パイプ内に摺動自在に内パイプを収容し、この内パイプを外パイプから引き出して所望の長さまで伸張させて固定する構造を有するものが種々使用されている。例えば、径の太い外パイプに径の細い内パイプが挿入され、内パイプの出し入れにより、パイプの長さを調整し、ねじ等を利用して内パイプを固定している。
【０００３】
しかしながら、ねじ等を利用したものでは、外パイプと内パイプを相対的に回転させたり、締め金具を回転するなどして内パイプの固定を行う必要があり、長さ調整作業が繁雑となる。
【０００４】
長さの調節及びパイプの保持が容易にした伸縮自在な支柱が提案されている（例えば、特許文献１参照）。この特許文献１に記載されている支柱につき、図９を参照して説明する。上端が開口している外筒１０３と、この外筒１０３の軸方向に衝動自在に収容されるシャフト１０４とを備える。シャフト１０４の下部に外筒１０３の内面に圧接して摺動する摩擦体１１４を有する。この摩擦体１１４は、シャフト１０４の径方向に形成された貫通孔１１３に挿入されている。この支柱は、シャフト１０４の下部に摩擦体１１４を設けて、これを外筒１０３に挿入しているので、摩擦体１１４が外筒１０３の内面に圧接するため、シャフト１０４を手で把持しなくても落下することなく所望の位置で保持することができる。
【先行技術文献】
【特許文献】
【０００５】
【特許文献１】実用新案登録第３０１７０１４号公報
【考案の概要】
【考案が解決しようとする課題】
【０００６】
上記した支柱は、シャフト１０４の下部に形成された貫通孔１１３に挿入された摩擦体１１４で、外筒１０３の内面に圧接して、シャフト１０４を保持している。すなわち、シャフト１０４の下部だけが摩擦体１１４で保持され、シャフト１０４の上部は、外筒１０３に保持されていない。このため、シャフト１０４の下部を中心として、シャフト１０４が揺れるなどの難点がある。
【０００７】
この考案は、上記した従来の問題点に鑑みなされたものにして、シャフトの揺れを抑制して、長さの調節及び保持が行える伸縮棒を提供することを目的とする。
【課題を解決するための手段】
【０００８】
この考案の伸縮棒は、中空円筒状で上端が開口している外パイプと、この外パイプの軸方向に摺動自在に挿入されるシャフトと、前記外パイプの上端開口部と接するか、僅かに内側の位置し、内部に所定の長さを有して前記外パイプの内面に取り付けられる弾性筒体と、を備え、前記シャフトが前記弾性筒体に圧接して保持されている。
【０００９】
また、前記弾性筒体の外周径は、前記外パイプの内径より少し大きく、内径は前記シャフトの外径より少し小さく形成すればよい。
【００１０】
また、前記弾性筒体の長さは、前記シャフトの自重、前記シャフトに取り付けられる部材の重さと積載荷重と前記弾性筒体の摩擦力とにより決めればよい。
【考案の効果】
【００１１】
この考案によれば、弾性筒体は、外パイプの上端開口部と接するか、僅かに内側の位置し、内部に所定の長さを有しているので、挿入されたシャフトを弾性筒体の面で保持することになり、長さの調節及び保持が容易に行える。そして、シャフトは、外パイプの上端開口部から弾性筒体で保持させるので、挿入されたシャフトは外パイプの上端開口部近傍に隙間がなく保持され、シャフトの揺れが抑制される。
【図面の簡単な説明】
【００１２】
【図１】この考案の実施形態にかかる伸縮棒を示す斜視図である。
【図２】この考案の実施形態にかかる伸縮棒の外パイプにシャフトを挿入する状態を示す斜視図である。
【図３】この考案の実施形態にかかる伸縮棒の各構成部品を示す分解斜視図である。
【図４】この考案の実施形態にかかる伸縮棒の外パイプへのシャフトの挿入動作を示す一部を断面にした正面図である。
【図５】この考案の実施形態にかかる伸縮棒の外パイプへのシャフトの挿入動作を示す一部を断面にした正面図である。
【図６】この考案の実施形態にかかる伸縮棒の外パイプへのシャフトの挿入動作を示す一部を断面にした正面図である。
【図７】この考案の実施形態にかかる伸縮棒をテーブルに用いた斜視図である。
【図８】この考案の実施形態にかかる伸縮棒をフックに用いた斜視図である。
【図９】従来の伸縮自在な支柱を示す一部を断面にした斜視図である。
【考案を実施するための形態】
【００１３】
この考案の実施の形態について図面を参照しながら詳細に説明する。なお、図中同一または相当部分には同一符号を付し、説明の重複を避けるためにその説明は繰返さない。
【００１４】
この考案の伸縮棒１は、金属パイプなどからなる外パイプ２と、この外パイプ２内に挿入され、摺動自在に移動可能な金属パイプ、金属シャフトなどからなるシャフト３を有する。
【００１５】
外パイプ２は、中空円筒状で上端部が開口され、その内面に、ゴム或いはポリウレタンなどの弾性を有する合成樹脂からなる弾性筒体４が取り付けられている。
【００１６】
この弾性筒体４は、所定の長さを有し、弾性筒体４の上端部が、外パイプ２の上端開口部と接するか、僅かに内側の位置し、外パイプ２の内部に取り付けられる。この弾性筒体４の外周径は挿入される外パイプ２の内径より少し大きく、内径は挿入されるシャフト３の外径より少し小さく形成されている。弾性筒体４の長さは、シャフト３の自重、シャフト３に取り付けられるテーブルなどの部材の重さと積載荷重と弾性筒体４の摩擦力とを考慮して決められる。
【００１７】
また、弾性筒体４は、外パイプ２の上端開口部と接するか、僅かに内側の位置し、内部に所定の長さを有しているので、挿入されたシャフト３を弾性筒体４の面で保持する。シャフト３は、外パイプ２の上端開口部から弾性筒体４で保持させるので、挿入されたシャフト３は外パイプ２の上端開口部近傍に隙間がなく保持され、シャフト３の揺れが抑制される。
【００１８】
図４ないし図６に従い、外パイプ２へシャフト３を保持させる態様につき説明する。まず、図４に示すように、弾性筒体４を取り付けた外パイプ２の上端開口部からシャフト３を挿入する。
【００１９】
図５に示すように、弾性筒体４の内径は挿入されるシャフト３の外径より少し小さく形成されているので、弾性筒体４を圧縮しながら挿入される。そして、て、図６に示すように、シャフト３の先端部が弾性筒体４を越えた位置で外パイプ２にシャフト３が保持される。
【００２０】
この考案の伸縮棒１の動作につき説明する。シャフト３を手で把持して外パイプ３から弾性筒体４の摩擦力に抗して手で引き出す、又は押し込むことにより伸縮棒１を所望の高さにすることができる。
【００２１】
次に、この考案の伸縮棒１をテーブルに用いた例につき、図７に従い説明する。図７に示すように、伸縮棒１の外パイプ２が基台板５に固定される。シャフト３にテーブル６が固定されている。外パイプ２の上端開口部には、弾性筒体４が取り付けられている。この弾性筒体４内にテーブル６を固定したシャフト３が挿入され、弾性筒体４の摩擦力でテーブル６が固定される。
【００２２】
この考案の伸縮棒１を用いたテーブルの動作につき説明する。シャフト３又はテーブル６を手で把持して外パイプ３から弾性筒体４の摩擦力に抗してシャフト３を手で引き出す、又は押し込むことにより伸縮棒１を所望の高さにして、テーブル６の高さを設定することができる。また、テーブル６の高さを変えたいときには、弾性筒体４により保持されているシャフト３の長さを弾性筒体４の摩擦力に対して伸縮棒１が所定の高さとなるまで手などで動かせばよい。
【００２３】
次に、この考案の伸縮棒１をフックスタンドの支柱に用いた例につき、図８に従い説明する。図８に示すように、支柱となる伸縮棒１の外パイプ２が基台板５に固定される。シャフト３の先端部には、フック３１が設けられている。外パイプ２の上端開口部には、弾性筒体４が取り付けられている。この弾性筒体４内にフック３１を設けたシャフト３が挿入され、弾性筒体４の摩擦力でフック３１が所定の高さに固定される。
【００２４】
この考案の伸縮棒１を用いたフックスタンドの動作につき説明する。シャフト３を手で把持して外パイプ３から弾性筒体４の摩擦力に抗してシャフト３を手で引き出す、又は押し込むことにより伸縮棒１を所望の高さにして、フック３１の高さを設定することができる。また、フック３１の高さを変えたいときには、弾性筒体４により保持されているシャフト３の長さを弾性筒体４の摩擦力に対して伸縮棒１が所定の高さとなるまで手などで動かせばよい。
【００２５】
今回開示された実施の形態はすべての点で例示であって制限的なものではないと考えられるべきである。この考案の範囲は、上記した実施の形態の説明ではなくて実用新案登録請求の範囲によって示され、実用新案登録請求の範囲と均等の意味および範囲内でのすべての変更が含まれることが意図される。
【産業上の利用可能性】
【００２６】
この考案の伸縮棒は、テーブル、フックスタンドの支柱や脚などに用いることができる。
【符号の説明】
【００２７】
１  伸縮棒
２  外パイプ
３  シャフト
４  弾性筒体
【図１】
0003171366.tif 000003
【図２】
0003171366.tif 000004
【図３】
0003171366.tif 000005
【図４】
0003171366.tif 000006
【図５】
0003171366.tif 000007
【図６】
0003171366.tif 000008
【図７】
0003171366.tif 000009
【図８】
0003171366.tif 000010
【図９】
0003171366.tif 000011